(57)【要約】      （修正有）【課題】安定して磁力をより遠くに届けることができる磁気治療具を提供する。【解決手段】長手方向に延びる軟質性紐状体１０と、前記軟質性紐状体の内部に収容される複数個の磁石２３と、前記軟質性紐状体の両端に形成されたクラスプ部３４と、を有する磁気治療具１であって、前記軟質性紐状体が、複数個の前記磁石のそれぞれの少なくとも一部を支持固定する紐状磁石収容部材２０と、一方の端部に前記紐状磁石収容部材と接合される接合部を備え、他方の端部にクラスプ部が形成されるクラスプ形成部を備える一対のクラスプ部形成部材と、前記紐状磁石収容部材の周囲を被覆する被覆部材とを含むことを特徴とする磁気治療具。【選択図】図１
2019072177.tif 000002
【特許請求の範囲】
【請求項１】
長手方向に延びる軟質性紐状体と、前記軟質性紐状体の内部に収容される複数個の磁石と、前記軟質性紐状体の両端に形成されたクラスプ部と、を有する磁気治療具であって、
前記軟質性紐状体が、複数個の前記磁石のそれぞれの少なくとも一部を支持固定する紐状磁石収容部材と、一方の端部に前記紐状磁石収容部材と接合される接合部を備え、他方の端部にクラスプ部が形成されるクラスプ形成部を備える一対のクラスプ部形成部材と、前記紐状磁石収容部材の周囲を被覆する被覆部材とを含むことを特徴とする磁気治療具。
【請求項２】
複数個の前記磁石が、前記軟質性紐状体の前記長手方向に沿って、前記紐状磁石収容部材に支持固定されている請求項１に記載の磁気治療具。
【請求項３】
複数個の前記磁石が、互いに反発する位置関係で配置されている一対の磁石対を２以上形成するように、前記紐状磁石収容部材に支持固定されている請求項１又は２に記載の磁気治療具。
【請求項４】
前記磁石が異方性磁石材である請求項１〜３のうちいずれか１項に記載の磁気治療具。
【請求項５】
複数個の磁石材と、複数個の前記磁石材のそれぞれの少なくとも一部を支持固定する紐状磁石収容部材とを有する紐状磁石材収容部材を作製する工程と、
一方の端部に前記紐状磁石材収容部材と接合される接合部を備え、他方の端部にクラスプ部が形成されるクラスプ形成部を備える一対のクラスプ部形成部材を作製する工程と、
前記紐状磁石材収容部材の両側端部のそれぞれに、前記クラスプ部形成部材の前記接合部を配置して、前記紐状磁石材収容部材の端部と前記クラスプ部形成部材の前記接合部とを接合するとともに、前記紐状磁石収容部材の周囲を被覆部材で被覆する工程と、
前記磁石材を着磁させる工程と、を有することを特徴とする磁気治療具の製造方法。
【発明の詳細な説明】
【技術分野】
【０００１】
本発明は、首や腕などに掛けて使用され、磁気の作用により、血行促進などの効果が期待される磁気治療具およびその製造方法に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁性体を配置した後、プレス成形する方法が開示されている。
【先行技術文献】
【特許文献】
【０００４】
【特許文献１】特開２００９−１８０６０号公報
【発明の概要】
【発明が解決しようとする課題】
【０００５】
磁気治療具による磁気の作用を安定して得るためには、磁力を安定してより遠く（すなわち、人体の内部に深く）に届くようにすることが望ましい。磁気治療具の磁力を安定してより遠くに届けるためには、磁石の向きや間隔が不均一とならないように、磁石を軟質性紐状体の内部に精度よく配置することが必要となる。
しかしながら、特許文献１に開示されているプレス成形では、金型にセットした硬化前のシリコーンゴムに磁性体を配置しているため、磁石を精度よく配置することが煩雑である。また、磁石を配置した後、プレス成形するため、磁石の位置ずれが生じるおそれもある。
【０００６】
さらに、磁気治療具は、使用者の体格や用途によって最適な長さが異なるため、その使用者の体格や用途に応じた長さの磁気治療具を提供できれば望ましい。しかしながら、種々の長さの磁気治療具をプレス成形で製造するには、多数の大型の金型を用意することが必要となるため、製造コストが高くなるという問題があった。
【０００７】
本発明は、このような課題に鑑みてなされたものであって、その目的は、安定して磁力をより遠くに届けることができ、かつ比較的簡単な構成で長さの調整が容易な磁気治療具及びその製造方法を提供することにある。
【課題を解決するための手段】
【０００８】
本発明の発明者は、磁気治療具の軟質性紐状体を、複数個の磁石のそれぞれの少なくとも一部を支持固定する紐状磁石収容部材と、一方の端部に紐状磁石収容部材と接合される接合部を備え、他方の端部にクラスプが固定されるクラスプ固定部を備える一対のクラスプ部形成部材と、紐状磁石収容部材及びクラスプ形成部材の接合部の少なくとも一部を被覆する被覆部材とで構成することによって、複数個の磁石を軟質性紐状体の内部に精度よく配置することが可能となることを見出した。また、軟質性紐状体を、紐状磁石収容部材と一対のクラスプ部形成部材と被覆部材とで構成することによって、紐状磁石収容部材の長さ、あるいは紐状磁石収容部材とクラスプ部形成部材の接合部とを接合させる部分の長さを調節することによって、紐状磁石収容部材全体の長さを調整することが可能となり、大型の金型を複数用意しなくても比較的容易に軟質性紐状体の長さを調整できることを見出して、本発明を完成させた。
従って、本発明は、上記課題を解決するため、以下の手段を提供する。
【０００９】
（１）本発明の一態様にかかる磁気治療具は、長手方向に延びる軟質性紐状体と、前記軟質性紐状体の内部に収容される複数個の磁石と、前記軟質性紐状体の両端に形成されたクラスプ部と、を有する磁気治療具であって、前記軟質性紐状体が、複数個の前記磁石のそれぞれの少なくとも一部を支持固定する紐状磁石収容部材と、一方の端部に前記紐状磁石収容部材と接合される接合部を備え、他方の端部にクラスプ部が形成されるクラスプ形成部を備える一対のクラスプ部形成部材と、前記紐状磁石収容部材の周囲を被覆する被覆部材とを含むことを特徴としている。
【００１０】
（２）上記（１）に記載の磁気治療具において、複数個の前記磁石は、前記軟質性紐状体の前記長手方向に沿って、前記紐状磁石収容部材に支持固定されていてもよい。
【００１１】
（３）上記（１）又は（２）に記載の磁気治療具において、複数個の前記磁石は、互いに反発する位置関係で配置されている一対の磁石対を２以上形成するように、前記紐状磁石収容部材に支持固定されていてもよい。
【００１２】
（４）上記（１）〜（３）のうちいずれか１つに記載の磁気治療具において、前記磁石は異方性磁石材であってもよい。
【００１３】
（５）本発明の一態様にかかる磁気治療具の製造方法は、複数個の磁石材と、複数個の前記磁石材のそれぞれの少なくとも一部を支持固定する紐状磁石収容部材とを有する紐状磁石材収容部材を作製する工程と、一方の端部に前記紐状磁石材収容部材と接合される接合部を備え、他方の端部にクラスプ部が形成されるクラスプ形成部を備える一対のクラスプ部形成部材を作製する工程と、前記紐状磁石材収容部材の両側端部のそれぞれに、前記クラスプ部形成部材の前記接合部を配置して、前記紐状磁石材収容部材の端部と前記クラスプ部形成部材の前記接合部とを接合するとともに、前記紐状磁石収容部材の周囲を被覆部材で被覆する工程と、前記磁石材を着磁させる工程と、を有することを特徴としている。
【発明の効果】
【００１４】
本発明によれば、安定して磁力をより遠くに届けることができ、かつ比較的簡単な構成で長さの調整が容易な磁気治療具及びその製造方法を提供すことが可能となる。
【図面の簡単な説明】
【００１５】
【図１】本発明の一実施形態にかかる磁気治療具の平面図である。
【図２】図１の磁気治療具の第１クラスプ部と第２クラスプ部を外した状態を示す平面図である。
【図３】図２のＡ部分の長手方向に沿った断面図である。
【図４】図３のIV−IV線断面図である。
【図５】図３のV−V線断面図である。
【図６】図３のVI−VI線断面図である。
【図７】本発明の一実施形態にかかる磁気治療具において用いられる磁石周辺の磁束線を説明する概念図である。
【図８】本発明の一実施形態にかかる磁気治療具の製造方法を説明するフロー図である。
【図９】本発明の一実施形態にかかる磁気治療具の製造方法における紐状磁石材収容部材作製工程で用いる紐状磁石材収容部材作製用金型を説明する図であって、（ａ）は紐状磁石材収容部材作製用金型の横断面図であり、（ｂ）は紐状磁石材収容部材作製用金型の第１金型（下型）の平面図である。
【図１０】本発明の一実施形態にかかる磁気治療具の製造方法におけるクラスプ部形成部材作製工程で用いるクラスプ部形成部材作製用金型を説明する図であって、（ａ）はクラスプ部形成部材作製用金型の縦断面図であり、（ｂ）は（ａ）の（ｂ）−（ｂ）線断面図である。
【図１１】本発明の一実施形態にかかる磁気治療具の製造方法における被覆部材被覆接合工程で用いる軟質性紐状体作製用金型を説明する図であって、（ａ）は軟質性紐状体作製用金型の縦断面図であり、（ｂ）は（ａ）の（ｂ）−（ｂ）線断面図である。
【発明を実施するための形態】
【００１６】
以下、本発明について、図面を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。
【００１７】
図１は、本発明の一実施形態にかかる磁気治療具の平面図である。図２は、図１の磁気治療具の第１クラスプ部３４ａと第２クラスプ部３４ｂを外した状態を示す平面図である。図３は、図２のＡ部分の長手方向に沿った断面図であり、図４は、図３のIV−IV線断面図、図５は、図３のＶ−Ｖ線断面図、図６は、図３のVI−VI線断面図である。
【００１８】
図１〜６に示すように、本実施形態の磁気治療具１は、長手方向に延びる軟質性紐状体１０と、軟質性紐状体１０の内部に収容される複数個の異方性磁石２３と、軟質性紐状体の両端に形成された第１クラスプ部３４ａ及び第２クラスプ部３４ｂとを有する。磁気治療具１は、第１クラスプ部３４ａと第２クラスプ部３４ｂを係着させることによって、図１に示すようにリングを形成する。リングを形成している磁気治療具１は、例えば、磁気ネックレス、磁気ブレスレットとして使用される。
【００１９】
（軟質性紐状体）
軟質性紐状体１０は、−６０℃以上６０℃以下の温度範囲で、折り曲げ可能な弾性体であることが好ましい。
【００２０】
軟質性紐状体１０の断面形状は、本実施形態では円形であるが、折り曲げ可能であれば、特に制限はなく、例えば、楕円形、多角形としてもよい。軟質性紐状体１０の径（図３〜６においてφ）は、特に限定されないが、例えば、０．３ｃｍ以上２ｃｍ以下の範囲である。また、軟質性紐状体１０の長さ方向の長さは、特に限定されないが、例えばネックレスとして使用されるものは、３０ｃｍ以上７０ｃｍ以下の範囲であり、ブレスレットとして使用されるものは、１０ｃｍ以上３０ｃｍ以下の範囲である。
【００２１】
軟質性紐状体１０は、紐状磁石収容部材２０と、紐状磁石収容部材２０の両側端部のそれぞれに接合されている一対のクラスプ部形成部材３０（第１クラスプ部形成部材３０ａ、第２クラスプ部形成部材３０ｂ）と、紐状磁石収容部材２０の周囲を被覆する被覆部材４０とを含む。
【００２２】
紐状磁石収容部材２０は、複数個の異方性磁石２３のそれぞれの少なくとも一部を支持固定する部材である。紐状磁石収容部材２０は、異方性磁石２３の一部を支持固定するための磁石支持固定孔２１を有する。紐状磁石収容部材２０によって異方性磁石２３を支持固定することによって、異方性磁石２３の向きや間隔が不均一とならないように異方性磁石２３を軟質性紐状体１０の内部に精度よく配置することが可能となる。
【００２３】
一対のクラスプ部形成部材３０は、それぞれ一方の端部に紐状磁石収容部材２０と接合される接合部３１を備え、他方の端部にクラスプ部３４が形成されるクラスプ形成部３３を備える。クラスプ部形成部材３０の接合部３１には紐状磁石収容部材連結突起３２が、紐状磁石収容部材２０の両端にはクラスプ部形成部材連結孔２２が設けられていて、紐状磁石収容部材連結突起３２をクラスプ部形成部材連結孔２２に挿入することによって、紐状磁石収容部材２０とクラスプ部形成部材３０とを連結させている。このため、本実施形態の磁気治療具１では、軟質性紐状体１０の長さを、例えば、紐状磁石収容部材２０の長さ（例えば図２、３のＸ１の長さ）やクラスプ部形成部材３０の長さ（例えば図２、３のＸ２の長さ）を調節することによって調整できる。
【００２４】
被覆部材４０は、紐状磁石収容部材２０に支持固定されている異方性磁石２３の周囲を被覆して、異方性磁石２３が人体に直接接触しないようにするとともに、紐状磁石収容部材２０とクラスプ部形成部材３０との連結部分を被覆して、紐状磁石収容部材２０とクラスプ部形成部材３０とを接合させる。さらに、被覆部材４０は、紐状磁石収容部材２０のばりを被覆して、見栄えや装着感を向上させる効果も有する。
【００２５】
軟質性紐状体１０を構成する紐状磁石収容部材２０、クラスプ部形成部材３０及び被覆部材４０は、軟質樹脂から形成されていることが好ましい。軟質樹脂としては、ゴム及びエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。紐状磁石収容部材２０、クラスプ部形成部材３０及び被覆部材４０は、それぞれ異なる軟質樹脂から形成されていてもよいが、接合強度の観点から同一種の軟質樹脂によって形成されていることが好ましい。本実施形態では、紐状磁石収容部材２０、クラスプ部形成部材３０及び被覆部材４０は全てシリコーンゴムを用いている。シリコーンゴムを用いることによって、軟質性紐状体１０は、軽量で柔軟性が高くなるとともに、生体親和性に優れたものとなる。
【００２６】
（異方性磁石）
異方性磁石２３は、軟質性紐状体１０の長手方向に沿って、紐状磁石収容部材２０に支持固定されている。また、２個の異方性磁石２３ａと異方性磁石２３ｂが互いに反発する位置関係、すなわち、それぞれ同じ磁極が同じ側を向き、かつ互いに隣接する位置関係で配置されている。この２個の異方性磁石２３ａと異方性磁石２３ｂからなる一対の磁石対は、磁力発生部２４を構成する。一対の磁石対（磁力発生部２４）は、２以上形成されていることが好ましい。
【００２７】
異方性磁石２３は、図３〜６に示すように、磁化方向が目視で判別できるように長方体にすることが望ましい。本実施形態では、幅方向（Ｙ方向）の長さＷ、高さ方向（Ｚ方向）の長さＨ、長手方向（Ｘ方向）の長さＬが、１：２：４とされている。
【００２８】
また、異方性磁石２３の高さ方向の長さＨは、軟質性紐状体１０の径φに対して、５０％以上８０％以下の範囲にあることが好ましい。Ｈがこの範囲にあると、異方性磁石２３を紐状磁石収容部材２０で安定して支持固定することができ、異方性磁石２３の配置位置がずれにくくなるとともに、高さ方向の軟質性紐状体１０の厚さが薄くなり過ぎず、折り曲げなどによる軟質性紐状体１０の割れや破損が生じにくくなる。
【００２９】
さらに、異方性磁石２３の角および辺は、面取りまたはＲ加工されていることが好ましい。これによって、例えば、軟質性紐状体１０が過剰に折り曲げられたとき、あるいは軟質性紐状体１０に過度に圧力が負荷されたときでも異方性磁石２３に微細な割れや欠けが生じにくくなる。
【００３０】
異方性磁石２３の材料としては、希土類磁石、異方性フェライト磁石、異方性ラバー磁石など磁気治療具用の磁石として通常、使用されているものを利用することができる。本実施形態では、異方性磁石２３として希土類磁石を用いている。
【００３１】
上述のとおり、本実施形態の磁気治療具１では、２個の異方性磁石２３ａ、２３ｂは互いに反発する位置関係で支持固定されていて、これにより磁力発生部２４を形成している。磁力発生部２４は、単独の異方性磁石２３と比較して、遠く離れた位置に磁気を届けることが可能な強い磁力を発生させることができる。この理由を、図７を参照しながら説明する。
【００３２】
図７（ａ）は、異方性磁石２３を単独で配置したときの異方性磁石２３の周りに分布する磁束線の状態を表す概念図である。図７（ａ）において破線で表されるように、異方性磁石２３を単独で配置した場合、近くに他の磁石が配置されていないため、異方性磁石２３の周辺は、異方性磁石２３のＮ極から磁束が出て、同じ異方性磁石２３のＳ極に戻り、異方性磁石２３から近い領域に磁束が集中する磁気回路が形成される。そのため、異方性磁石２３の磁束は、異方性磁石２３から遠くへ及ばない。
【００３３】
図７（ｂ）は、異なる磁極が同じ側を向く２個の異方性磁石２３ａ、２３ｂを、互いに隣接するように配置したときの異方性磁石２３ａ、２３ｂの周りに分布する磁束線の状態を表す概念図である。図７（ｂ）において破線で表されるように、異なる磁極が同じ側を向く２個の異方性磁石２３ａ、２３ｂを、互いに隣接するように配置した場合、一方の異方性磁石のＮ極と他方の異方性磁石のＳ極とが接近して配置されているため、異方性磁石２３ａ、２３ｂのＮ極から出た磁束は、近接する他の異方性磁石のＳ極か、又は同じ異方性磁石のＳ極へ戻る。従って、異方性磁石２３ａ、２３ｂから近い領域に磁束が集中する磁気回路が形成される。そのため、異方性磁石２３ａ、２３ｂの磁束は、異方性磁石２３ａ、２３ｂから遠くへ及ばない。
【００３４】
図７（ｃ）は、同じ磁極が同じ側を向く２個の異方性磁石２３ａ、２３ｂを、互いに隣接するように配置したときの異方性磁石２３ａ、２３ｂの周りに分布する磁束線の状態を表す概念図である。図７（ｃ）において破線で表されるように、同じ磁極が同じ側を向く２個の異方性磁石２３ａ、２３ｂを、互いに隣接するように配置した場合、一方の異方性磁石のＮ極（又はＳ極）と他方の異方性磁石のＮ極（又はＳ極）とが接近して配置されているため、異方性磁石２３ａ、２３ｂのＮ極から出た磁束は、近接する他の異方性磁石のＮ極の影響により、異方性磁石に近接する領域を通過してＳ極へ戻ることが阻害される。従って、異方性磁石２３ａ、２３ｂから遠い領域に磁束が集中する磁気回路が形成される。そのため、異方性磁石２３ａ、２３ｂ（磁力発生部２４）から遠く離れた位置に磁気を届けることができる。
【００３５】
本実施形態では、磁力発生部２４を構成する２個の異方性磁石２３ａ、２３ｂを揃えて（平行）に並べる必要がある。着磁の際、磁界を印加する方向は一定のため、磁石材の向きが揃っていないと規定の磁界を得られない場合がある。従って、着磁をさせる前の磁石材を軟質性紐状体の内部に精度よく配置することが必要となる。
【００３６】
（クラスプ部）
一対のクラスプ部３４（第１クラスプ部３４ａ、第２クラスプ部３４ｂ）はそれぞれ、図３〜４に示すように、一方の端部が開口し、他方の端部が閉じた筒状の外装体３５と、外装体３５に収容された永久磁石３６とを有し、外装体３５の開口にクラスプ部形成部材３０のクラスプ形成部３３の端部が挿入されている。第１クラスプ部３４ａの永久磁石３６と第２クラスプ部３４ｂの永久磁石３６とが引き合うことによって、第１クラスプ部３４ａと第２クラスプ部３４ｂが係着する。
【００３７】
（磁気治療具の製造方法）
次に、本実施形態の磁気治療具１の製造方法について、図８〜図１１を参照して説明する。
本実施形態の磁気治療具１の製造方法は、図８に示すように、紐状磁石材収容部材作製工程Ｓ０１と、クラスプ部形成部材作製工程Ｓ０２と、被覆部材被覆接合工程Ｓ０３と、着磁工程Ｓ０４とを有する。
【００３８】
（紐状磁石材収容部材作製工程）
紐状磁石材収容部材作製工程Ｓ０１では、複数個の異方性磁石材２５と、複数個の異方性磁石材２５のそれぞれの少なくとも一部を支持固定し、両端にクラスプ部形成部材連結孔２２が設けられている紐状磁石収容部材２０とを有する紐状磁石材収容部材２６を作製する。
異方性磁石材２５は着磁によって、異方性磁石２３を生成する部材である。異方性磁石材２５は長方体であり、角および辺は面取りまたはＲ加工されている。これによって、異方性磁石材２５を後述の金型に設置する際の作業を円滑に行うことが可能となる。異方性磁石材２５は、例えば、磁界を印加しながら、磁石材料の粉体を固めることにより作製することができる。これにより磁化容易軸が揃った異方性磁石材２５を得ることができる。
【００３９】
紐状磁石材収容部材２６は、例えば、インサート成形によって作製することができる。具体的には、図９に示すように、第１金型５１（下型）と第２金型５２（上型）を組み合わせることによって、内部に紐状磁石材収容部材２６の形状を形成する紐状磁石材収容部材作製用金型５０を用意する。第１金型５１及び第２金型５２はそれぞれ、表面に異方性磁石材２５を支持固定する空間を形成する磁石材収容凹部５３と、紐状磁石収容部材２０の形状を形成する紐状磁石収容部材形成凹部５４とを有する。磁石材収容凹部５３は、ばね５５と磁石材固定具５６とが収容されている。磁石材固定具５６は、異方性磁石材２５に接触して異方性磁石材２５を支持固定する磁石材接触面５７と、紐状磁石収容部材２０の形成を形成する紐状磁石収容部材形成面５８とを有する。ばね５５の弾性力により、磁石材固定具５６の磁石材接触面５７を異方性磁石材２５に押し付けることよって異方性磁石材２５が支持固定される。磁石材収容凹部５３の開口部には、第１金型５１及び第２金型５２の表面を平坦にするために蓋部材５９が配置されている。磁石材収容凹部５３は、２個の異方性磁石材２５ａ、２５ｂは、着磁によって互いに反発する位置に２個の異方性磁石２３ａ、２３ｂが配置されている。
【００４０】
先ず、紐状磁石材収容部材作製用金型５０の第１金型５１と第２金型５２の間に、複数個の異方性磁石材２５と、紐状磁石収容部材２０を構成する軟質樹脂材料、例えば、未硬化のシリコーンゴムとを配置する。次いで、紐状磁石材収容部材作製用金型５０を加熱して、未硬化のシリコーンゴムを硬化させる。これにより、紐状磁石収容部材２０が生成し、紐状磁石材収容部材２６が形成される。このとき、異方性磁石材２５は磁石材固定具５６により紐状磁石材収容部材作製用金型５０の内壁面に押し付けられるため、異方性磁石材２５の公差による金型とのガタを吸収することができる。このため、異方性磁石材２５を紐状磁石材収容部材作製用金型５０に精度よく配置することができる。
【００４１】
（クラスプ部形成部材作製工程）
クラスプ部形成部材作製工程Ｓ０２では、一方の端部に紐状磁石材収容部材２６と接合する紐状磁石収容部材連結突起３２を設けた接合部３１を備え、他方の端部にクラスプ部３４が形成されるクラスプ形成部３３を備える一対のクラスプ部形成部材３０を成形によって作製することができる。
【００４２】
具体的には、図１０に示すように、第１金型６１（下型）と第２金型６２（上型）を組み合わせることによって、内部にクラスプ部形成部材３０の形状を形成するクラスプ部形成部材作製用金型６０を用意する。先ず、このクラスプ部形成部材作製用金型６０の第１金型６１と第２金型６２の間に、クラスプ部形成部材３０を構成する軟質樹脂材料、例えば、未硬化のシリコーンゴムとを配置する。次いで、クラスプ部形成部材作製用金型６０を加熱して、未硬化のシリコーンゴムを硬化させる。これにより、クラスプ部形成部材３０が形成される。
【００４３】
（被覆部材被覆接合工程）
被覆部材被覆接合工程Ｓ０３では、紐状磁石材収容部材作製工程Ｓ０１で作製した紐状磁石材収容部材２６の両側端部のそれぞれに、クラスプ部形成部材作製工程Ｓ０２で作製したクラスプ部形成部材３０の接合部３１を配置して、紐状磁石材収容部材２６の端部とクラスプ部形成部材３０の接合部３１とを接合するとともに、紐状磁石材収容部材２６の周囲を被覆部材で被覆する。被覆部材４０は、例えば、インサート成形によって形成することができる。
【００４４】
具体的には、図１１に示すように、第１金型７１（下型）と第２金型７２（上型）を組み合わせることによって、内部に軟質性紐状体１０の形状を形成する軟質性紐状体作製用金型７０を用意する。先ず、この軟質性紐状体作製用金型７０の第１金型７１と第２金型７２の間に、紐状磁石材収容部材２６とクラスプ部形成部材３０とを配置する。このとき、クラスプ部形成部材３０の接合部３１の紐状磁石収容部材連結突起３２を、紐状磁石収容部材２０のクラスプ部形成部材連結孔２２に挿入して、紐状磁石収容部材２０とクラスプ部形成部材３０とを連結させる。次いで、被覆部材４０を構成する軟質樹脂材料、例えば、未硬化のシリコーンゴムを配置する。そして、軟質性紐状体作製用金型７０を加熱して、硬化させることによって、被覆部材４０を生成させるとともに、紐状磁石材収容部材２６と被覆部材４０とを接合させる。これにより、紐状磁石材収容部材２６の周囲が被覆部材４０で被覆された接合体（軟質性紐状体１０）が形成される。
【００４５】
（着磁工程）
着磁工程Ｓ０４では、上記被覆部材被覆接合工程Ｓ０３で得られた接合体（軟質性紐状体１０）の異方性磁石材２５を着磁させる。異方性磁石材２５を着磁させる方法としては、一般に磁石材を着磁させるために使用されている着磁器を用いることができる。このとき、着磁の磁界方向と異方性磁石材２５の向きを揃えて着磁を行う。特に異方性磁石材の場合には、磁化容易軸が揃っているので異方性磁石材の向きが揃っていないと、一定方向の磁界を印加して着磁を行った時に、それぞれの磁石において十分な磁力が発現しないおそれがある。本実施形態の場合には、異方性磁石材２５の向きや間隔が不均一とならないように、異方性磁石材２５を精度よく配置することができるので、着磁工程Ｓ０４により十分な磁力を得ることができる。
【００４６】
以上のようにして、長手方向に延びた軟質性紐状体１０と、軟質性紐状体１０の内部に収容されている異方性磁石２３ａ、２３ｂとを有する磁気治療具が得られる。この磁気治療具の軟質性紐状体１０の両側端部に、第１クラスプ部３４ａと第２クラスプ部３４ｂを形成することによって、本実施形態の磁気治療具１が完成する。第１クラスプ部３４ａと第２クラスプ部３４ｂは、着磁工程Ｓ０４の前に取り付けてもよいし、着磁工程Ｓ０４の後に取り付けてもよい。なお、紐状磁石材収容部材作製工程Ｓ０１と、クラスプ部形成部材作製工程Ｓ０２は、どちらを先に実施してもよい。
【００４７】
以上のように構成された本実施形態の磁気治療具１においては、複数個の異方性磁石２３がそれぞれ紐状磁石収容部材２０で支持固定されているので、紐状磁石収容部材２０とクラスプ部形成部材３０と被覆部材４０とを一体化した軟質性紐状体１０の内部に、異方性磁石２３の向きや間隔が不均一とならないように、異方性磁石２３を精度よく配置することができる。また、本実施形態の磁気治療具１では、軟質性紐状体１０の長さを、例えば、紐状磁石収容部材２０の長さ（例えば図２、３のＸ１の長さ）やクラスプ部形成部材３０の長さ（例えば図２、３のＸ２の長さ）を調節することによって調整できるので、大型の金型を複数用意しなくても比較的容易に軟質性紐状体１０の長さを調整することが可能となる。
【００４８】
さらに、本実施形態の磁気治療具１においては、２個の異方性磁石２３ａ、２３ｂがそれぞれ互いに反発する位置関係で配置されることによって、磁力発生部２４を構成しているので、異方性磁石を１個単独で使用するよりも磁力をより遠くに届けることが可能となる。
【００４９】
本実施形態の磁気治療具の製造方法では、紐状磁石材収容部材作製工程Ｓ０１で用いる異方性磁石材２５は、磁石材固定具５６により紐状磁石材収容部材作製用金型５０の内壁面に押し付けられるため、異方性磁石材２５の公差による金型とのガタを吸収することができる。よって、異方性磁石材２５を精度よく配置することができる。従って、本実施形態の磁気治療具の製造方法によれば、異方性磁石２３を軟質性紐状体１０の内部に精度よく配置することが可能となる。
【００５０】
以上、本発明の実施形態について図面を参照して説明したが、本実施形態における各構成及びそれらの組み合わせ等は一例であり、本発明の趣旨から逸脱しない範囲内で、構成の付加、省略、置換、及びその他の変更が可能である。
【００５１】
例えば、本実施形態の磁気治療具１では、磁力発生部２４は、２個の異方性磁石２３ａ、２３ｂを含む構成とされているが、異方性磁石を３個以上含む構成であってもよい。具体的には、異方性磁石２３ａまたは異方性磁石２３ｂの隣に別の異方性磁石を配置してもよい。この場合、別の異方性磁石と異方性磁石２３ａまたは異方性磁石２３ｂとは互いに反発する位置関係で支持固定されていることが必要である。なお、２個の異方性磁石２３ａ、２３ｂで磁力発生部２４を構成させずに、複数個の磁石を互いに反発しないように軟質性紐状体１０の内部に配置してもよい。
【００５２】
また、本実施形態の磁気治療具１では、磁石として長方体の異方性磁石２３を用いているが、これに限定されるものではない。具体的には、磁石として等方性磁石を用いてもよい。また磁石の形状は、楕円柱状、多角柱状などの柱状とすることができる。
【００５３】
また、本実施形態の磁気治療具１では、クラスプ部形成部材３０の接合部３１の紐状磁石収容部材連結突起３２を、紐状磁石収容部材２０のクラスプ部形成部材連結孔２２に挿入することによって、紐状磁石収容部材２０とクラスプ部形成部材３０とを連結させているが、これに限定されるものではない。例えば、紐状磁石収容部材２０の両端に設けた突起を、クラスプ部形成部材３０の接合部３１に設けた孔に挿入することによって紐状磁石収容部材２０とクラスプ部形成部材３０とを連結させてもよい。また、接着剤を用いて紐状磁石収容部材２０とクラスプ部形成部材３０とを連結させてもよい。
【符号の説明】
【００５４】
１…磁気治療具、１０…軟質性紐状体、２０…紐状磁石収容部材、２１…磁石支持固定孔、２２…クラスプ部形成部材連結孔、２３、２３ａ、２３ｂ…異方性磁石、２４…磁力発生部、２５、２５ａ、２５ｂ…異方性磁石材、２６…紐状磁石材収容部材、３０…クラスプ部形成部材（３０ａ…第１クラスプ部形成部材、３０ｂ…第２クラスプ部形成部材）、３１…接合部、３２…紐状磁石収容部材連結突起、３３…クラスプ形成部、３４…クラスプ部（３４ａ…第１クラスプ部、３４ｂ…第２クラスプ部）、３５…外装体、３６…永久磁石、４０…被覆部材、５０…紐状磁石材収容部材作製用金型、５１…第１金型、５２…第２金型、５３…磁石材収容凹部、５４…紐状磁石収容部材形成凹部、５５…ばね、５６…磁石材固定具、５７…磁石材接触面、５８…紐状磁石収容部材形成面、５９…蓋部材、６０…クラスプ部形成部材作製用金型、６１…第１金型、６２…第２金型、７０…軟質性紐状体作製用金型、７１…第１金型、７２…第２金型
【図１】
2019072177.tif 000003
【図２】
2019072177.tif 000004
【図３】
2019072177.tif 000005
【図４】
2019072177.tif 000006
【図５】
2019072177.tif 000007
【図６】
2019072177.tif 000008
【図７】
2019072177.tif 000009
【図８】
2019072177.tif 000010
【図９】
2019072177.tif 000011
【図１０】
2019072177.tif 000012
【図１１】
2019072177.tif 000013